(57)【要約】      （修正有）【課題】柱梁接合部の接続構造を提供する。【解決手段】予め製造される柱アセンブリは、長手方向軸を有する中空管状の柱１５を含む。ガセットプレートアセンブリは、柱に接続されており、柱の長手方向軸と概して平行の平面において柱から外側に横方向に延在する複数個のガセットプレート２３ａ，２３ｂを含む。ガセットプレートの第一の組が、第一の軸に沿って柱から外側に横方向に延在し、第一の梁をガセットプレートの第一の組に備え付けるための、第一の梁の端部を収容するための空間を画定する。ガセットプレートの第二の組が、第一の軸と非平行でありかつ第一の軸と一致しない第二の軸に沿って柱から外側に横方向に延在する。ガセットプレートの第二の組は、２軸接合接続をもたらすように、第二の梁をガセットプレートの第二の組に備え付けるための、第二の梁の端部を収容するための空間を画定する。【選択図】図１Ａ
2017201126.tif 000002
【特許請求の範囲】
【請求項１】
長手方向軸を有する中空管状の柱と、
前記柱に接続されており、前記柱の長手方向軸と概して平行の平面において前記柱から外側に横方向に延在する複数個のガセットプレートを備えたガセットプレートアセンブリと、を備えており、前記ガセットプレートの第一の組が、前記柱から外側に横方向に第一の軸に沿って延在し、第一の梁を前記ガセットプレートの第一の組に備え付けるための、前記第一の梁の端部を収容するための空間を画定し、前記ガセットプレートの第二の組が、前記第一の軸と非平行でありかつ前記第一の軸と一致しない第二の軸に沿って前記柱から外側に横方向に延在し、前記ガセットプレートの第一の組及び第二の組が、各々、前記柱の長手方向軸と垂直の単一面と交差し、前記ガセットプレートの第二の組が、第二の梁を前記ガセットプレートの第二の組に備え付けて２軸接合接続をもたらすための、前記第二の梁の端部を収容するための空間を画定する、予め製造される柱アセンブリ。
【請求項２】
前記ガセットプレートの第一の組の一つの少なくとも一部分が、前記ガセットプレートの第二の組の少なくとも一つを通り延在する、請求項１に記載の柱アセンブリ。
【請求項３】
前記ガセットプレートの第一の組の各々が、前記ガセットプレートの第二の組の各々を通り抜ける、請求項２に記載の柱アセンブリ。
【請求項４】
前記ガセットプレートアセンブリの前記ガセットプレートの少なくとも二つの各々が、前記ガセットプレートを相互接続して前記ガセットプレートアセンブリを形成するための、前記少なくとも二つのガセットプレートの他方のスロットとつがうための少なくとも一つのスロットを含む、請求項２に記載の柱アセンブリ。
【請求項５】
各ガセットプレートが少なくとも二つのスロットを含み、各スロットが、別の前記ガセットプレートの前記スロットのそれぞれの一つとつがい、前記ガセットプレートを相互接続して前記ガセットプレートアセンブリを形成する、請求項４に記載の柱アセンブリ。
【請求項６】
各スロットが閉鎖端部及び開放端部を含み、前記開放端部が、別のガセットプレートの一部分を収容して、前記ガセットプレートを相互接続して前記ガセットプレートアセンブリを形成する、請求項４に記載の柱アセンブリ。
【請求項７】
前記ガセットプレートを互いに接続する溶接部をさらに備えており、前記溶接部が、前記ガセットプレートを相互接続する前記スロットに沿って延在する、請求項４に記載の柱アセンブリ。
【請求項８】
各ガセットプレートが複数個の穴を含む、請求項１に記載の柱アセンブリ。
【請求項９】
前記ガセットプレートアセンブリを前記柱に取り付けるねじ棒をさらに備えており、前記柱が、対向する平面壁構材を含む多角形断面壁を備えており、各々の対向する壁構材が、その内部に穴を有し、前記ガセットプレートのそれぞれの一つと対面する関係にあり、各ねじ棒が、前記対向する平面壁構材の前記穴及び前記平面壁構材と対向する前記ガセットプレートの前記穴を通って延在する、請求項８に記載の柱アセンブリ。
【請求項１０】
前記ガセットプレートアセンブリが前記柱に溶接された、請求項１に記載の柱アセンブリ。
【請求項１１】
ガセットプレート−柱溶接部をさらに備えており、第一のガセットプレート−柱溶接部が、前記柱の長手方向軸を横断して延在する、請求項１０に記載の柱アセンブリ。
【請求項１２】
前記ガセットプレートの一つを前記柱に接続する第一のガセットプレート−柱溶接部をさらに備えており、前記第一のガセットプレート−柱溶接部が、前記柱の長手方向軸を横断して延在し、第二のガセットプレート−柱溶接部が、前記ガセットプレートの前記一つを前記柱に接続し、前記第二のガセットプレート−柱溶接部が、前記柱の長手方向軸に沿って延在する、請求項１０に記載の柱アセンブリ。
【請求項１３】
前記ガセットプレートの少なくとも一つが、前記柱の長手方向軸と平行に延在する伸長開口部を有し、前記ガセットプレートを前記柱に接続する溶接部を前記伸長開口部内にさらに備えた、請求項１に記載の柱アセンブリ。
【請求項１４】
前記伸長開口部が、当該伸長開口部を取り囲む閉ループを画定する縁を有し、前記溶接部が、前記伸長開口部の前記縁の全体に沿って延在する、請求項１３に記載の柱アセンブリ。
【請求項１５】
中空管状の柱を提供することと、
ガセットプレートの少なくとも二つを共に取り付けることによる複数個の前記ガセットプレートを含むガセットプレートアセンブリを組み立てることと、及び
前記ガセットプレートアセンブリを前記中空管状の柱に固定して柱アセンブリを形成することと、を含み、前記ガセットプレートの第一の組が、前記柱から外側に横方向に第一の軸に沿って延在し、第一の梁を前記ガセットプレートの第一の組に備え付けるための、前記第一の梁の端部を収容するための空間を画定し、前記ガセットプレートの第二の組が、前記柱から外側に横方向に第二の軸に沿って延在し、第二の梁を前記ガセットプレートの第二の組に備え付けることによって２軸接合接続をもたらすための、前記第二の梁の端部を収容するための空間を画定する、予め製造される柱アセンブリの組立方法。
【発明の詳細な説明】
【技術分野】
【０００１】
本発明は、概してモーメント抵抗の２軸柱梁接合部接続に関し、特に、２軸柱梁接合部接続のための柱アセンブリ及びガセットプレートアセンブリに関する。
【背景技術】
【０００２】
建物の柱梁接合部またはその付近における地震のエネルギの大部分または他の極端な負荷状態を吸収及び消散する構造鉄骨骨組を有するモーメント抵抗の建物が見出されてきた。
【０００３】
建物を破滅的な事象に対してより強くするために、柱梁接続におけるより大きな強度、延性及び接合回転容量を得ることが望ましい。より大きな接続強度、延性及び接合回転容量は、横方向面及び垂直面の両方における相当大きなモーメントに抵抗するのに特に望ましい。つまり、鉄骨フレーム建物における柱梁モーメント抵抗接続は、階間の横方向への建物の横滑りに起因する垂直面における大きな回転要求を受けることがある。工学的解析、設計及びフルスケール見本試験によって、梁及び柱に設置された、相当大きな柱梁の接合回転により良く抵抗し、かつ耐えるように柱梁接続を補強することによって従前の鉄骨フレーム接続技術を実質的に改善できることが見つけ出されてきた。つまり、柱梁接続は、強固かつ延性のあるモーメント抵抗接続である必要がある。
【０００４】
モーメントフレームを含む中空構造断面（ＨＳＳ）柱は、（構造的及び建築的の両方の）様々な建物設計用途に使用するのに構造的に効率的な構材である。しかしながら、Ｈ型（『Ｈ』断面）梁をＨＳＳ柱に接続する従来型のモーメント接続方式は、Ｈ型梁をＨ型柱に接続するのと著しく異なる設計考慮事柄を伴う。負荷状態の間、Ｈ型梁におけるモーメントは、梁フランジにおける集中した力に帰着し、これは柱に移す必要がある。ＨＳＳとＨ型柱との間の主な違いは、梁フランジからの力を、剪断に抵抗する柱ウェブに移す方式である。Ｈ型柱では、ウェブ（故に、剛性）が、柱フランジの中心に位置する。ＨＳＳ柱では、柱面に印加された力は、柱のウェブとして作用する側壁に移す必要がある。通常、ＨＳＳの壁がＨ型柱におけるフランジよりも薄いという事実に起因して、ＨＳＳ柱壁の厚さは、ＨＳＳ柱とＨ型梁との間のモーメント接続の強度及び剛性にとっての重大な考慮事柄となる。ＨＨＳ柱とＨ型梁とを接続する従来の方法は、相当なモーメント力をＨＳＳ柱のウェブに移すのに、技術的に不確実かつ高価な手段に頼らなければならない。これらの現行の方法は、一般的に、１軸モーメントフレーム用途に使用される。一つのそのような方法では、Ｈ型梁のフランジをＨＳＳ柱の薄壁フランジ面に直接に溶接している。この方法では、ＨＳＳフランジの薄い壁厚の本質的な曲性の故に、印加されたモーメントが梁の全部の曲げ強度に近づいたときに、自己制御する。それ故に、直接溶接技術は、印加されたモーメント力を面外曲げ及び剪断を通してＨＳＳ柱の接続ウェブに移す能力を限定してきた。
【０００５】
別の従来の方法は、貫通プレート接続であり、この接続では、ＨＳＳ柱が各床レベルにおいて二つの箇所に切断され、Ｈ型梁の上部及び下部フランジに取り付けられた貫通プレートが柱を通り抜けることができる。これらの貫通プレート接続は、各貫通プレートの上部面及び下部面両方におけるＨＳＳ柱の切断断面の全周囲に沿って溶接される。これらの方式の接続は、製造が高価であり、かつ激しい地震を受けたときにそれらの性能が不確実であることの両方が証明された。例えば、接続は、本質的に、柱における周期的な張力に起因して貫通プレートにおける面外押し抜き剪断破壊を受けやすくなり得る。
【０００６】
（カットアウトプレートとしても公知の）外部ダイヤフラムプレート接続は、梁の上部フランジ及び下部フランジに取り付けられたフランジプレートを使用してモーメントを移すという点で貫通プレート接続に類似する。しかしながら、外部ダイヤフラムプレート接続では、ＨＳＳ柱が依然として連続的であり、上部フランジ及び下部フランジプレートは、ＨＳＳ柱の全周囲を囲み、ＨＳＳ柱に取り付けられる周囲を有する切断開口部を付与するために、ＨＳＳ柱の幅よりも広く作られる。この接続は、製造及び建設が本質的に困難である。
【０００７】
内部ダイヤフラムプレート接続は、ＨＳＳ柱の内周囲に適合するように切断されており、その内部におけるＨＳＳ薄壁フランジを強固にし、梁フランジ力をＨＳＳ柱の側壁ウェブに移すための手段を付与する工場溶接されたプレートからなる。Ｈ型梁の上部フランジ及び下部フランジが、柱の薄壁フランジ面に直接に溶接される。この接続方式の製造は、正確な備え付けの問題及び内部ダイヤフラムプレートの溶接のためのＨＳＳ柱の内面へのアクセスの故に困難である。この接続方式の性能は、それらに対応して不確実である。
【発明の概要】
【課題を解決するための手段】
【０００８】
一態様において、予め製造される柱アセンブリは、通常、長手方向軸を有する中空管状の柱を備える。ガセットプレートアセンブリは、柱に接続されており、柱の長手方向軸と概して平行の平面において柱から外側に横方向に延在する複数個のガセットプレートを備える。ガセットプレートの第一の組が、第一の軸に沿って柱から外側に横方向に延在し、第一の梁をガセットプレートの第一の組に備え付けるための、第一の梁の端部を収容するための空間を画定する。ガセットプレートの第二の組が、第一の軸と非平行でありかつ第一の軸と一致しない第二の軸に沿って柱から外側に横方向に延在する。ガセットプレートの第一の組及び第二の組は、各々、柱の長手方向軸と垂直の単一面と交差する。ガセットプレートの第二の組は、２軸接合接続をもたらすように、第二の梁をガセットプレートの第二の組に備え付けるための、第二の梁の端部を収容するための空間を画定する。
【０００９】
別の態様において、建物の梁を柱に取り付けるための中空管状の柱に接続するガセットプレートアセンブリは、通常、建物の梁の重量を柱に移すようなサイズに形成された少なくとも二つの金属ガセットプレートを備える。ガセットプレートは、互いに対して固定された構成において共に接続される。各ガセットプレートは、別のガセットプレートのスロットとつがうことによってガセットプレートを相互接続してガセットプレートアセンブリを形成する少なくとも一つのスロットを含む。
【００１０】
なおも別の態様において、予め製造される柱アセンブリの組立方法は、通常、中空管状の柱を提供することを含む。複数個のガセットプレートを含むガセットプレートアセンブリは、ガセットプレートの少なくとも二つを共に取り付けることによって組み立てられる。ガセットプレートアセンブリは、中空管状の柱に固定されて柱アセンブリを形成する。ガセットプレートの第一の組が、第一の軸に沿って柱から外側に横方向に延在し、第一の梁をガセットプレートの第一の組に備え付けるための、第一の梁の端部を収容するための空間を画定する。ガセットプレートの第二の組が、第二の軸に沿って柱から外側に横方向に延在する。ガセットプレートの第二の組は、第二の梁をガセットプレートの第二の組に備え付けることによって２軸接合接続をもたらすための、第二の梁の端部を収容するための空間を画定する。
【図面の簡単な説明】
【００１１】
【図１】建物骨組の斜視図である。
【図１Ａ】第一の実施形態の柱アセンブリを含む四側面２軸柱梁接合部接続構造の部分斜視図である。
【図２】図１Ａの２軸柱梁接合部接続構造を建築するような、一組の柱アセンブリにおける梁アセンブリの位置を図示する斜視図である。
【図３】ボルトが取り外された図１Ａの２軸柱梁接合部接続構造である。
【図４】図１Ａの２軸柱梁接合部接続構造の柱アセンブリの部分斜視図である。
【図５】山形鋼が取り外されており、ガセットプレートの柱への接続の詳細を明らかにするためにガセットプレートアセンブリの一部分をファントムにおいて示す図４の柱アセンブリである。
【図６】図５の柱アセンブリの上面図である。
【図７】図５の柱アセンブリの正面図である。
【図８】図５の柱アセンブリの水平断面である。
【図９】図５の柱アセンブリのガセットプレートアセンブリの斜視図である。
【図１０】図９のガセットプレートアセンブリ上面図である。
【図１１】図１０の一部分の拡大された部分上面図である。
【図１２】図９のガセットプレートアセンブリの第一のガセットプレートの正面図である。
【図１３】図９のガセットプレートアセンブリの第二のガセットプレートの正面図である。
【図１４】第一のガセットプレートと第二のガセットプレートとの相互接続を図示する斜視図である。
【図１５】溶接する前の図９のガセットプレートアセンブリの斜視図である。
【図１６】構造の柱の内部にセメントが設置された図１Ａの２軸柱梁接合部接続構造である。
【図１７】構造の柱アセンブリを構造の梁アセンブリに取り付けるための代替的な接続構材を示す図１Ａの２軸柱梁接合部接続構造である。
【図１８】第二の実施形態の柱アセンブリを含む四側面２軸柱梁接合部接続構造の部分斜視図である。
【図１９】柱アセンブリの柱の内部にセメントが設置された図１８の２軸柱梁接合部接続構造である。
【図２０】２軸柱梁接合部接続構造に使用するための、第三の実施形態の柱アセンブリの部分斜視図である。
【図２１】図２０の柱アセンブリの水平断面である。
【図２２】図２０の柱アセンブリのガセットプレートアセンブリの第一のガセットプレートの正面図である。
【図２３】図２０の柱アセンブリのガセットプレートアセンブリの第二のガセットプレートの正面図である。
【図２４】２軸柱梁接合部接続構造に使用するための、第四の実施形態の柱アセンブリの部分斜視図である。
【図２５】図２４の柱アセンブリのガセットプレートアセンブリの斜視図である。
【図２６】図２５のガセットプレートアセンブリの第一のガセットプレートの正面図である。
【図２７】図２５のガセットプレートアセンブリの第二のガセットプレートの正面図である。
【図２８】２軸柱梁接合部接続構造に使用するための、第五の実施形態の柱アセンブリの部分斜視図である。
【図２９】ファントムにおいてアセンブリのガセットプレートの一部分を示す図２８の柱アセンブリである。
【図３０】図２９の柱アセンブリの分解図である。
【図３１】図２８の柱アセンブリの柱の部分斜視図である。
【図３２】図２８の柱アセンブリのガセットプレートアセンブリの斜視図である。
【図３３】図３２のガセットプレートアセンブリの第一のガセットプレートの正面図である。
【図３４】図３２のガセットプレートアセンブリの第二のガセットプレートの正面図である。
【図３５】第六の実施形態の柱アセンブリを含む２軸柱梁接合部接続構造の部分斜視図である。
【図３６】図３５の構造のガセットプレートアセンブリである。
【図３７】図３６のガセットプレートアセンブリの第一のガセットプレートの正面図である。
【図３８】図３６のガセットプレートアセンブリの第二のガセットプレートの正面図である。
【図３９】図３６のガセットプレートアセンブリの第三のガセットプレートの正面図である。
【図４０】図３６のガセットプレートアセンブリの第四のガセットプレートの正面図である。
【図４１】第七の実施形態の柱アセンブリを含む２軸柱梁接合部接続構造の部分斜視図である。
【図４２】図４１の構造のガセットプレートアセンブリである。
【図４３】図４２のガセットプレートアセンブリの第一のガセットプレートの正面図である。
【図４４】図４２のガセットプレートアセンブリの第二のガセットプレートの正面図である。
【図４５】２軸柱梁接合部接続構造に使用するための、第八の実施形態の柱アセンブリの部分斜視図である。
【図４６】図４５の柱アセンブリの上面図である。
【図４７】図４５の柱アセンブリの第一のガセットプレートの正面図である。
【図４８】図４５の柱アセンブリの第二のガセットプレートの正面図である。
【図４９】図４５の柱アセンブリのガセットプレートサブアセンブリの斜視図である。
【図５０】図４９のガセットプレートサブアセンブリを建築するように、第一のガセットプレートを第二のガセットプレートに取り付ける方法を示す説明図である。
【図５１】図４９のガセットプレートサブアセンブリの上面図である。
【図５２】２軸柱梁接合部接続構造に使用するための、第九の実施形態の柱アセンブリの部分正面斜視図である。
【図５３】図５２の柱アセンブリの後面斜視図である。
【図５４】図５２の柱アセンブリの上面図である。
【図５５】ガセットプレートサブアセンブリの斜視図である。
【図５６】図５５のガセットプレートサブアセンブリを建築するように、第一のガセットプレートを第二のガセットプレートに取り付ける方法を示す説明図である。
【図５７】図５５のガセットプレートサブアセンブリの上面図である。
【図５８】２軸柱梁接合部接続構造に使用するための、第十の実施形態の柱アセンブリの部分正面斜視図である。
【図５９】図５８の柱アセンブリの後面斜視図である。
【図６０】図５８の柱アセンブリの上面図である。
【図６０Ａ】図６０の一部分の拡大された部分上面図である。
【図６１】２軸柱梁接合部接続構造に使用するための、第十一の実施形態の柱アセンブリの部分正面斜視図である。
【図６２】図６１の柱アセンブリの後面斜視図である。
【図６３】図６１の柱アセンブリの上面図である。
【図６４】２軸柱梁接合部接続構造に使用するための、第十二の実施形態の柱アセンブリの部分正面斜視図である。
【図６５】図６４の柱アセンブリの後面斜視図である。
【図６６】図６４の柱アセンブリの上面図である。
【図６７】２軸柱梁接合部接続構造に使用するための、第十三の実施形態の柱アセンブリの部分正面斜視図である。
【図６８】図６７の柱アセンブリの後面斜視図である。
【図６９】図６７の柱アセンブリの上面図である。
【図７０】図６９の一部分の拡大された部分立面図である。  対応する参照数字は、図面全体を通して対応する部品を指し示す。
【発明を実施するための形態】
【００１２】
図１〜図１５を参照するように、第一の実施形態の柱アセンブリを含む２軸柱梁モーメント抵抗接合接続構造が、概して１１で指し示される。接合接続構造は、建物骨組１（図１参照）の建築に使用することができる。図示する実施形態では、接合接続構造は、柱１５を含む柱アセンブリ１３と全長の梁１９を各々が含む複数個の全長の梁アセンブリ１７とを接合する。全長の梁は、構造における隣接する柱間の実質的に全長を延在するのに十分な長さを有する梁である（図２参照）。故に、参照により本明細書に組み込む米国特許第６，１３８，４２７号の図５及び図１６に示すようなスタブ及びリンク梁アセンブリは、全長の梁ではない。図１Ａの梁１９が壊れて外れるが、全長の梁であることが理解される。図示する実施形態では、接合接続構造は、四つの全長の梁アセンブリ１７が柱アセンブリ１３に取り付けられるように構成された４側面／４梁構成を有する。図示する実施形態では、柱１５は、四つの柱面２０によって画定された矩形（広い意味では「多角形」）断面を有するＨＳＳ管断面構造である。梁１９は、Ｉ梁、Ｈ梁構成または中空矩形形状（組立箱の構材またはＨＳＳ管断面）などの任意の適切な構成を有することができる。図示する実施形態では、柱１５は、対向する平面壁構材を含む取り囲された矩形壁を備える。
【００１３】
建物骨組１の全体的なモーメント抵抗フレーム設計構成は、必要に応じて、すべてのまたは大部分の柱梁接続が建物の各主方向におけるモーメント抵抗である、分配されたモーメント抵抗空間フレームを提供することができる。これは、建物の土地専有面積全体においてより少ない離散的に位置した１軸モーメントフレームを使用し得る従来の建物骨組と対照的である。それ故に、骨組１は、高層建物の横方向負荷抵抗システムにおける構造的冗長性を最大化して、例えば、テロリストによる爆弾の爆破及び他の壊滅的な負荷環境を受けたときの進行性崩壊シナリオに対する抵抗を増大し、同時に、建築されるモーメント抵抗接合の必要数を最小化し、転じて、建築費を減少する。
【００１４】
図５〜図９、図１２及び図１３を参照するように、柱アセンブリ１３は、柱アセンブリを梁アセンブリ１７に取り付けるための環様のガセットプレートアセンブリ２１を含む。ガセットプレートアセンブリ２１は、柱１５に接続されており、柱から外側に横方向に延在する複数個のガセットプレート２３を備える。ガセットプレート２３は、柱１５の長手方向軸と概して平行の平面内を延在する。間隔を介して平行の、垂直及び水平に延在するガセットプレートの第一の組２３ａが、柱１５及び同軸上を延在する梁１９を挟む。ガセットプレートの第一の組２３ａは、第一の軸に沿って互いに反対方向に柱１５から外側に横方向に延在し、それぞれの梁アセンブリ１７をガセットプレートアセンブリ２１を通じて柱アセンブリ１３に備え付けるための、梁１９の端部を収容するための空間を画定する。間隔を介して平行の、垂直及び水平に延在するガセットプレートの第二の組２３ｂが、柱１５及び同軸上を延在する梁１９を挟む。ガセットプレートの第二の組２３ｂは、第一の軸と直交して延在する第二の軸に沿って互いに反対方向に柱１５から外側に横方向に延在する。ガセットプレートの第二の組２３ｂは、それぞれの梁アセンブリ１７をガセットプレートアセンブリ２１を通じて柱アセンブリ１３に備え付けるための、梁１９の端部を収容するための空間を画定する。ガセットプレートの第一の組及び第二の組は、各々、柱１５の長手方向軸と垂直の単一面と交差する。図示する実施形態では、ガセットプレートアセンブリ２１は、四つの同じ平面上の梁１９が柱１５に接続されるように建築及び配列される。
【００１５】
ガセットプレートの第一の組２３ａの各々は、スロットを取り囲む閉ループを画定する縁を有する閉鎖内部スロット４１（広い意味では「伸長開口部」）を含む。ガセットプレート２３ａは、各々が、内部スロット４１の側方に位置する一組の開放スロット４３（図１２）も含む。開放スロット４３は、ガセットプレート２３の下部からガセットプレートの内部に延在する。ガセットプレートの第二の組２３ｂの各々は、スロット４１と実質的に同じ構造である閉鎖内部スロット４５（広い意味では「伸長開口部」）、及び内部スロットの側方に位置する一組の開放スロット４７を含む（図１３）。開放スロット４７は、ガセットプレート２３の上部からガセットプレートの内部に延在する。ガセットプレートの第一の組２３ａ及び第二の組２３ｂのスロット４３、４７によって、図１４に概略的に図示するようにプレートを組み立てることができる。ガセットプレートの第一の組２３ａの開放スロット４３は、ガセットプレートの第一の組２３ａの一部分がガセットプレートの第二の組の開放スロットに収容され、かつガセットプレートの第二の組の一部分がガセットプレートの第一の組の開放スロットに収容されるように、ガセットプレートの第二の組２３ｂの開放スロット４７とつがうように構成される。このように、ガセットプレート２３ａ、２３ｂは、互いに交差し、互いを通じて延在する。図示する実施形態では、ガセットプレートの第一の組２３ａは、ガセットプレートの第一の組の上部縁及び下部縁が、ガセットプレートの第二の組２３ｂのそれぞれの上部縁及び下部縁と概して同じ平面上に位置するように、ガセットプレートの第二の組２３ｂに取り付けられる。
【００１６】
ガセットプレート２３ａ、２３ｂの相互接続された組は、図１５に示すように、柱通路５１を画定する三次元のポンド記号の外観を有する環様のガセットプレートアセンブリ２１を形成する。この様式では、交差するガセットプレート２３ａ、２３ｂは、互いに対して直交して延在する。図９を参照すると、ガセットプレート２３ａ、２３ｂは、ガセットプレートの間の交点の角に沿って延在する垂直隅肉溶接部２９ａに沿って共に溶接され、ガセットプレートアセンブリ２１を完成する。ガセットプレート２３ａ、２３ｂの上部縁及び下部縁における水平隅肉溶接部２９ｂ（広い意味では「第一のガセットプレート−柱溶接部」）が、柱１５の長手方向軸を横断して延在し、ガセットプレートアセンブリ２１を柱に取り付ける。加えて、ガセットプレート２３ａ、２３ｂにおける閉鎖スロット４１、４５における隅肉溶接部２９ｃ（広い意味では「第二のガセットプレート−柱溶接部」）が、ガセットプレートアセンブリ２１を柱１５に取り付ける（図７）。一実施形態において、ダブル平行垂直溶接部が、各スロット４１、４５内部に、それらの全長に沿って延在し、スロットの丸い端部において接続し、スロットの周囲に連続溶接部を形成する。平行溶接部２９ｃの各々の全長の大部分は、柱の長手方向軸に沿って延在する。スロット４１、４５は、概して柱面２０の中心に位置付けられ、故に、スロット４１、４５内部の溶接部２９ｃは、構造のモーメント抵抗能力を向上する追加の構造を付与する。
【００１７】
図１Ａ〜図３を参照すると、水平カバープレート２７が、梁１９の上部に配置され、梁１９の端部に取り付けられる。カバープレート２７は、それぞれの梁１９の幅及び付随するガセットプレート２３の水平間隔よりも大きな幅を有する。カバープレート２７の構成によって、全長の梁アセンブリ１７の各端部が、初期に、カバープレート２７と柱アセンブリ１３のガセットプレート２３の水平延在部の上部縁との間のベアリングにおいて支持されるように、梁１９がガセットプレート２３間において下がることが可能になる。言い換えれば、梁１９は、自己で支える。図示する実施形態では、カバープレート２７は、ガセットプレート２３に取り付けられた上部山形鋼３１の突出する水平脚部の上面に載ることができる。カバープレート２７は、それぞれの梁１９の全長に沿って延在し、ガセットプレート２３の端部を少しだけ過ぎて終端になる。カバープレート２７は、カバープレートの全長に沿って延在する長円半径のスロット開口部３０を有する。カバープレート２７が他の幅、構成及びスロットタイプの長円開口部を有することができることが理解される。例えば、カバープレート（図示せず）は、スロット開口部３０を全く有さなくても良い。垂直剪断プレート３２が、２９ｄにおいて梁１７のウェブに溶接され、ガセットプレート２３ａ、２３ｂに接続するための穴２６ａを有する。
【００１８】
柱アセンブリ１３は、アセンブリにおいて位置合わせされたボルト穴２６Ａを通り延在するボルト２６によって、梁アセンブリ１７にボルトで留められる。特に、ボルト２６は、上部山形鋼３１をカバープレート２７に、底部山形鋼３３をガセットプレート２３に、かつ垂直剪断プレート３２をガセットプレートに取り付けるのに使用され、すべてがそれぞれのコンポーネントにおいて位置合わせされたボルト穴２６ａを通る。
【００１９】
前に概説した接合接続構造１１は、２軸柱梁タイプの構造である。構造１１は、中空管状の柱１５の四つの側面に沿う梁アセンブリ接続をもたらす。最も好ましくは、接合接続構造１１のコンポーネントの各々ならびに梁１９及び柱１５は、構造鉄骨で作られる。接合接続構造１１のコンポーネントのいくつかは溶接によって、いくつかはボルト留めによって結合される。溶接は、初期に、製造工場において実行することができる。ボルト留めは、建築現場において実行でき、世界の多くの地域において好ましい選択肢である。しかしながら、溶接またはオールベアリング接続などの他の適切な様式で梁アセンブリ１７を柱アセンブリ１３に接続できることが理解される。
【００２０】
図４、図５及び図１２〜図１６を参照すると、柱アセンブリ１３は、製造工場において製造し、その後建築現場に輸送することができる。柱アセンブリ１３を製造するために、ガセットプレート２３は、スロット４３、４７によって互いにつがう（図１４及び図１５）。つがったガセットプレート２３は、互いと溶接されて剛体ガセットプレートアセンブリ２１を形成する（図９）。柱をガセットプレートアセンブリ２１の柱通路５１に挿入することによって、ガセットプレートアセンブリは柱１５に支えられる。柱アセンブリ１３の建築中、ガセットプレートアセンブリ２１の柱通路５１を通した柱の挿入を促進し、かつ柱の面２０へのガセットプレートアセンブリの溶接を促進するために、柱１５はその側面において旋回することができる。その結果、ガセットプレートアセンブリ２１は、所定の床位置などの選択された位置において柱に位置し、２９ｂにおいて溶接されるまたは別な様に柱１５の壁の面２０に取り付けられる。図示する実施形態では、ガセットプレートアセンブリは、ガセットプレート２３の上部及び下部に位置する水平溶接部２９ｂに沿って、ならびにスロット４１、４５内部の溶接部２９ｃに沿って、柱１５に溶接される。上部山形鋼３１は、２９ｆにおいて溶接されるまたは別な様にガセットプレート２３に取り付けられる。故に、工場において、柱アセンブリ１３を溶接によって独占的に建築することができる。好ましい実施形態では、溶接部２９は隅肉溶接部である。隅肉溶接部は、超音波探傷検査を必要とせず、結果として工場での製造費を減少する。しかしながら、溶接は、グルーブ溶接であっても良いし、ステッチ溶接であっても良い。他の溶接及び他の形態の接続も、本開示の範囲内にある。
【００２１】
図２を参照すると、全長の梁アセンブリ１７は、建築現場に輸送する前に製造工場において製造することもできる。全長の梁アセンブリ１７を製造するために、カバープレート２７は、２９ｅにおいて溶接されるまたは別な様に梁の上部フランジに取り付けられる。（溶接部２９ｅなどによる）溶接は、スロット開口部３０の周囲と梁１９の上部フランジとの間において、及びカバープレートの底面（図示せず）において梁の上部フランジ端に沿って実行される。底部山形鋼３３は、２９ｇにおいて溶接されるまたは別な様に梁１９の下部フランジに取り付けられ、梁から横方向に外側に突出する。全長の梁アセンブリ１７を形成するのに必要な任意の溶接を工場において実行することができる。工場では、高度に正確な様式において環様のガセットプレートアセンブリ２１、柱アセンブリ１３及び梁アセンブリ１７を形成するための、固定具の使用及び精密な加工技術が可能になる。好ましい実施形態では、溶接部２９は隅肉溶接部である。他の溶接及び他の形態の接続も、本開示の範囲内にある。カバープレート２７及び底部山形鋼３３は、現行の実施形態に図示しない他の構成も有することができる。
【００２２】
建築現場において、柱アセンブリ１３が全長の梁アセンブリ１７に接合される。柱アセンブリ１３は、最初は垂直配向において建設され、梁の各端部がガセットプレート２３のそれぞれの組の一面にわたるように、全長の梁アセンブリ１７の端部は、水平に位置付けられ、柱アセンブリに隣接する。その結果、全長の梁アセンブリ１７は、カバープレート２７の下部表面が上部山形鋼３１の上部表面に係合するまで、ガセットプレート２３の間で下がる。この係合は、初期に、全長の梁アセンブリ１７を柱アセンブリ１３に位置させて支持し、建設中の支えを促進する。アセンブリ１３、１７を堅く固定するために、ボルト２６を使用して、それぞれのコンポーネントにおける位置合わせされたボルト穴２６Ａを通して、上部山形鋼３１をカバープレート２７に取り付け、かつ底部山形鋼３３をガセットプレート２３に取り付ける。故に、建築現場において、全長の梁アセンブリ１７を含む２軸柱梁モーメント抵抗接合接続構造１１が、ボルト接続を通じて独占的に完成される。現場において、溶接を使用せずに接合接続構造１１が建築される。カバープレート２７は、全長の梁１９からの垂直剪断負荷の大部分、そうでなければすべてを移すように設計され、これにより垂直剪断プレートまたは垂直剪断要素の必要性を排除し、材料費及び建築費も減少できる。中空管状の柱１５及びガセットプレート２３を用いる、この柱梁のすべての現場でボルト留めされる接合接続構造１１は、中空管状の柱を使用する従来の接合接続構造では認識されてこなかった。しかしながら、本開示の範囲から逸脱することなく、柱アセンブリ１３を梁アセンブリ１７に溶接できることが構想される。
【００２３】
柱アセンブリ１３は、有益にも、梁１９によって柱１５に印加されるモーメントに対する抵抗を、柱のすべての四つの面２０に分配し、これにより梁によって柱に印加される２軸負荷、特に、重度の負荷事象に抵抗するのに良く適する。これは、側壁に沿って進み、柱１５の角を取り囲む剛体ガセットプレートアセンブリ２１を形成する、溶接され連結された直交するガセットプレートの使用によって可能になる。四つの梁の任意の一つまたは任意の組み合わせによって印加されたモーメントが、剛体ガセットプレートアセンブリ２１によって柱１５の周囲のすべての位置に伝達されることが理解される。例えば、モーメントが（例えば、ガセットプレート２３ｂに接続された一つの梁１９からのものとして）一つの軸に印加されたときには、米国特許第６，１３８，４２７号、米国特許第７，１７８，２９６号、米国特許第８，１４６，３２２号、及び米国特許第９，０９１，０６５号に記載されているガセットプレート接続に類似する様式において、梁の軸と平行な柱１５の面２０へのガセットプレート２３ｂの接続を通じてそれに抵抗する。柱１５の平行面２０への接続によって、ガセットプレート２３ｂと柱１５のそれぞれの隣接面２０とを接続する（水平溶接部群を備えた）上部及び下部水平溶接部２９ｂによって形成された、印加されたモーメントに抵抗する（主に、溶接部２９ｂの全長に沿う剪断として作用する）偶力が付与される。加えて、梁の端部に面する近接するガセットプレート２３の上部及び下部水平溶接部２９ｂは、柱１５の近接する面２０と垂直に作用する、印加されたモーメントに抵抗する抵抗張力／圧縮偶力を形成する別の水平溶接部群を備える。剛体ガセットプレートアセンブリ２１は、離れたガセットプレート２３ａと対向する面２０とを接続する（なおも別の水平溶接部群を備えた）上部及び下部水平溶接部２９ｂによって形成された、印加されたモーメントにする抵抗（対向する面２０と垂直に作用する）冗長な抵抗張力／圧縮偶力を付与することによって、モーメントを、離れたガセットプレート２３ａとのその接続を通じて、柱１５の対向する面２０にも伝達する。
【００２４】
柱アセンブリ１３の前述のモーメント抵抗特徴に加えて、柱アセンブリは、２軸モーメントにユニークなモーメント抵抗をさらに付与するように構成される。互いに対して直交して配列された梁１９から接合柱アセンブリにモーメントが印加された場合には、帰着したモーメントベクトルは、どちらか一方の梁の長手方向軸を含む垂直面には位置しないことを理解することができる。それどころか、モーメントベクトルは、垂直面における直交する梁１９の間のどこかに位置し、それ故に、ガセットプレートアセンブリ２１を、前述の直交する梁１９の長手方向軸の間の斜め方向に沿って柱に傾けさせる。この場合には、隣接する、柱１５の近接して直交する面２０は、共同のモーメント抵抗を付与する。より具体的には、ガセットプレート２３ａ、２３ｂにおける垂直スロット４１、４５における溶接部２９ｃが互いに直交する隣接面２０において柱１５の中深部に位置し、垂直溶接部群として共に直交に作用する、それぞれのスロット４１、４５に位置する同じ垂直スロット溶接部２９ｃを合わせることによって、印加された２軸モーメント抵抗偶力を付与する、追加のモーメント抵抗能力を付与する。剛体ガセットプレートアセンブリ２１は、２軸モーメントを、追加の共同のモーメント抵抗を付与する別の垂直溶接部群を備えた、柱１５の離れた直交する面２０にも移す。近接して直交する面２０及び離れて直交する面の両方が、先行する段落に記載したモーメント抵抗偶力と協調して作用して、柱アセンブリを使用して形成された柱アセンブリ１３及び接合接続構造１１を顕著に堅固にする。
【００２５】
同時に、重度の負荷状態下では、印加されたモーメントを受けた柱１５の同じ対向する面２０に対する、（梁の長手方向軸と垂直に面する）対向するガセットプレート２３ａベアリングの「プッシュ／プル」効果によって、負荷伝達冗長性も付与することができる。故に、柱１５の対向する面２０は、協同して、ガセットプレート２３ｂの溶接された接続によって柱１５の直交する側面２０に付与される抵抗に加えて、（極端な負荷状態下の）一つの梁１９からのモーメントにも抵抗し、それによって、印加されたモーメントに抵抗する冗長性を付与する。柱アセンブリ１３が、一つの梁１９のみについて、そしてすべての前述の負荷伝達機構の２軸相互作用によって可能になる接合接続構造１１における四つもの数の梁１９すべてについて、印加されたモーメントについてまさに記載した様式において、印加されたモーメントに抵抗するように構成されることが理解される。
【００２６】
前述の中空管状の柱１５及びガセットプレートアセンブリ２１を有する柱アセンブリ１３を含む柱梁モーメント抵抗接合接続構造１１は、フルスケールのシミュレートされた地震試験中に並外れて良く機能することが示された。試験は、参照により本明細書に組み込む米国特許第９，０９１，０６５号に開示されているなどの、すべての現場でボルト留めされる側面プレートモーメント接続技術を使用してＨ型梁に接続されたモーメントであった、軸方向に負荷される薄壁のＨＳＳ柱を備えて構成された二つの１軸モーメントフレーム試験見本を含んだ。ＨＳＳ柱は、軸方向負荷がＨＳＳ形状の局部座屈において主要な役割を有し得るので、軸方向に予め負荷されてそれらの名目降伏強度の４０％まで圧縮された。印加される軸方向負荷の４０％の選択は、鉄骨モーメントフレーム柱における軸圧縮のこのレベルが、標準的な高層建物の約９５％を包含すると結論を出した一連のパラメータ研究に基づいてされた。二つの試験見本の一つについての１８インチ平方のＨＳＳ柱フランジの幅−壁厚さ比（ｂｆ／ｔｆ）は、本明細書に記載した柱梁側面プレートモーメント接続技術を使用したときに局部座屈が起こるか否かを確認するために、ＡＩＳＣ３５８耐震規定によって許容される１３．２の最大ｂｆ／ｔｆ限界に照らして、２１に設定した。
【００２７】
２１のｂｆ／ｔｆ比を有する平方１８インチＨＳＳ柱（ＨＳＳ１８×１８×３／４）からなる側面プレート試験見本を、２４インチの深いＨ型梁（Ｗ２４×８４）に接続して、その名目降伏強度の４０％の軸圧縮負荷で予め負荷し、柱損傷の兆候がなく最終的に梁が破壊するように周期的に負荷をかけた。故に、ＨＳＳタイプの柱が地震負荷に耐えることができないという業界認知に反して、薄壁のＨＳＳ柱アセンブリは、重度のシミュレートされた地震負荷を受けたときに、並外れたかつ堅固なサイクル性能を実証した。ＨＳＳ柱アセンブリは、鉄骨モーメントフレームの横滑りの４％ラジアンにおける一回のみのフルサイクルの業界の事前資格審査の要件（ＡＩＳＣ３５８耐震規定）と比較して、鉄骨モーメントフレームの横滑りの６％ラジアンにおける接合回転の二回のフルサイクルを達成した。それ故に、ＨＳＳ柱アセンブリは、地震負荷に耐える適合があるのみならず、現行の業界標準を上回るアセンブリであることも証明した。
【００２８】
さらに、このすべての工場で隅肉溶接された及びすべての現場でボルト留めされた２軸の柱梁モーメント抵抗接合接続構造１１のユニークな幾何学形状及び剛性は、その性能ならびに極端な風及び中度から重度の地震状態の両方を含むその設計用途の広さを最大化する。特に、すべての現場でボルト留めされた接合接続構造１１は、すべての現場で隅肉溶接された接合接続構造を特徴付ける、従前の設計に類似する柱と梁とを挟む垂直及び水平に延在した平行ガセットプレート２３の使用によって可能になる、全長の梁１９の端部と柱１５の面との間の物理的分離（または、隙間）を維持する。故に、過去に使用された堅く取り付けられた鉄骨モーメントフレームの梁と柱との間の曲げモーメント負荷伝達の不確実性を減少する。
【００２９】
さらに、柱１５及び梁１９の両方を挟む垂直及び水平に延在する平行ガセットプレート２３を含むことによって、すべての現場でボルト留めされた接合接続構造１１のこの現行の２軸の適用は、増大した柱梁接合部の剛性の利点を維持し、それに対応して鉄骨モーメントフレーム全体の剛性を増大し、結果として建物設計が（構材強度ではなく）横方向の階の横滑りによって制御されるときにより小さい梁サイズをもたらし、従って、材料費を減少する。建物設計が（横方向の階の横滑りではなく）構材強度によって制御されるときには、この２軸のすべての現場でボルト留めされた接合接続構造１１は、その接続幾何学形状が梁または柱いずれかの正味の断面減少を有さない（すなわち、梁または柱いずれかを通すボルト穴を有さない）ことによって梁及び柱の完全な強度を維持するので、梁サイズ及び柱サイズも減少し、従って、材料量及び材料費も減少する。
【００３０】
本開示の一態様において、全長の梁は、全長の梁及びガセットプレートにおいて溶接された接続が実質的にないように、ボルトによってガセットプレートに接続される。全長の梁アセンブリ１７の柱アセンブリ１３への溶接が本開示のその態様の範囲内にあることが理解される。
【００３１】
図１６を参照すると、２軸柱梁モーメント抵抗接合接続構造１１が、コンクリートＣで満たされた柱１５を備えて示される。柱１５をコンクリートで満たすと、より大きな負荷容量及び延性さえも付与することができる。例えば、包囲する柱断面によるコンクリートの閉じ込めを通じて追加の延性のある負荷容量が得られる。これは、大きい軸圧縮を受けたときに硬化コンクリートの破裂を防ぐための、鉄骨の閉鎖ジャケットを付与する。さらに、コンクリートは、柱１５の薄い側壁の面外座屈の可能性に対する本質的な抵抗を付与する。
【００３２】
図１７を参照すると、２軸柱梁モーメント抵抗接合接続構造１１は、カバープレート２７の代わりに上部山形鋼２８を備えて示される。図示する実施形態では、山形鋼２８は、建築現場に運送される前に梁１９に溶接される。
【００３３】
図１８を参照すると、第二の実施形態の２軸柱梁モーメント抵抗接合接続構造が、概して１１１で指し示される。第二の実施形態の接合接続構造は、ＨＳＳ柱１５が組立箱柱１１５と置き換えられていることを除いて、第一の実施形態の構造１１と実質的に同一である。第一の実施形態の接合接続構造１１の部品に対応する第二の実施形態の接合接続構造１１１の部品は、「１００」をプラスした同じ参照数字が与えられる。中空鉄骨組立箱断面柱は、一般的に、高層建物、特殊な構造物及び住宅タワーの設計に使用される。図１９を参照すると、２軸柱梁モーメント抵抗接合接続構造１１１は、コンクリートＣで満たされた組立箱柱１１５を備えて示される。
【００３４】
図２０〜図２３を参照すると、第三の実施形態の柱アセンブリが、概して２１３で指し示される。第三の実施形態の柱アセンブリ２１３は、第一の実施形態の柱アセンブリ１３と実質的に同一である。第一の実施形態の柱アセンブリ１３の部品に対応する第三の実施形態の柱アセンブリ２１３の部品は、「２００」をプラスした同じ参照数字が与えられる。この番号付けの慣習は、その後の実施形態でも繰り返される。第三の実施形態の柱アセンブリ２１３と第一の実施形態の柱アセンブリ１３との間の唯一の差異は、第三の実施形態のガセットプレートアセンブリ２２１のガセットプレート２２３ａ、２２３ｂの各々が、ガセットプレートに沿って垂直に延在する狭い閉鎖スロット２４１、２４５を有することである。さらに、栓溶接部２２９ｃが狭い閉鎖スロット２４１、２４５を満たす。図示する実施形態では、栓溶接部２２９ｃは、スロット２４１、２４５に沿って延在し、それらを満たし、第一の実施形態におけるスロット４１、４５における隅肉溶接部２９ｃと比較して比例的に減少したモーメント抵抗強度を付与する正方形の溝スロット溶接部を備える。ガセットプレートアセンブリ２２１の組立方法は、第一の実施形態のガセットプレートアセンブリ２１の組立方法と同一であり、柱アセンブリ２１３の建築方法は、第一の実施形態の柱アセンブリ１３の建築方法とさもなければ同一である。さらに、柱アセンブリ２１３は、第一の実施形態の柱アセンブリ１３と同じ様式において全長の梁アセンブリに取り付けることができる。
【００３５】
図２４〜図２７を参照すると、第四の実施形態の柱アセンブリが、概して３１３で指し示される。第四の実施形態の柱アセンブリ３１３は、第一の実施形態の柱アセンブリ１３及び第三の実施形態のそれと実質的に同一である。二つの実施形態の間の唯一の差異は、ガセットプレートにおいて閉鎖スロット４１、４５が除去されていることである。ガセットプレートアセンブリ３２１の組立方法は、第一の実施形態のガセットプレートアセンブリ２１の組立方法と同一であり、柱アセンブリ３１３の建築方法は、第一の実施形態の柱アセンブリ１３の建築方法とさもなければ同一である。主な差異は、ガセットプレートアセンブリ３１３が、ガセットプレート３２３における垂直スロット内の柱３１５に溶接されないことである。さらに、柱アセンブリ３１３は、第一の実施形態の柱アセンブリ１３と同じ様式において全長の梁アセンブリに取り付けることができる。
【００３６】
図２８〜図３４を参照すると、第五の実施形態の柱アセンブリが、概して４１３で指し示される。第五の実施形態の柱アセンブリ４１３は、第四の実施形態の柱アセンブリ３１３に類似する。二つの実施形態の間の主な差異は、ガセットプレートアセンブリ４２１が、柱に溶接される代わりに、ねじ込み棒を通じた接続によって柱４１５に取り付けられることである。特に、ねじ棒４６１は、ガセットプレート４２３及び柱４１５における位置合わせされた棒穴４６１Ａを通り延在し、ガセットプレートアセンブリ４２１を柱４１５に固定する。柱４１５の各平面４２０は、棒穴４６１Ａを含む。柱４１５の面４２０における各棒穴は、柱の対向する面４２０における棒穴と軸方向に位置を合わせる。ガセットプレート４２３は、柱４１５における標準的な棒穴４６１Ａと位置を合わせるように構成された特大サイズの棒穴４６１Ａを有する。ねじ棒４６１は、ガセットプレート４２３における垂直に位置合わせされた特大サイズの棒穴４６１Ａ、及び柱４１５の対向する面における棒穴４６１を通って延在する。柱アセンブリ４１３の建築中、柱４１５は、その側面において旋回して、ねじ棒４６１の挿入をより容易に促進することができる。柱４１５の隣接面における棒穴４６１Ａ及びガセットプレート４２３におけるそれらに対応する特大サイズの棒穴４６１Ａは、柱アセンブリの隣接する側面を通って延在するねじ棒４６１が互いに干渉しないように、互いから軸方向に位置ずれする。図示する実施形態では、棒穴４６１Ａは、柱４１５及びガセットプレート４２３の面において矩形パターンに配列されている。しかしながら、棒穴４６１Ａは、本開示の範囲から逸脱することなく、異なるパターンに配列することができる。図示する実施形態では、ガセットプレートアセンブリ４２１は、上部及び下部水平溶接部４２９ｂによっても柱４１５に取り付けられる。しかしながら、本発明の範囲内において溶接部４２９ｂを除外できることが理解される。なおもさらに、ねじ棒４６１の代わりに開きボルト（図示せず）を使用することもできる。開きボルトは、柱４１９を横断して延在しないが、代わりに、開きボルトが通り抜ける柱の壁の内面を支えるように展開する。故に、柱４１５のすべての四つの面４２０に異なるボルトが使用されることもある。
【００３７】
図３５〜図４０を参照すると、第六の実施形態の柱アセンブリ５１３を含む２軸柱梁モーメント抵抗接合接続構造が、概して５１１で指し示される。接合接続構造は、建物骨組の建築に使用することができる。図示する実施形態では、接合接続は、柱５１５を含む柱アセンブリ５１３を、全長の梁５１９を含む三つの全長の梁アセンブリ５１７に接合する。柱アセンブリ５１３は、第四の実施形態の柱アセンブリ３１３に類似するが、三つの梁アセンブリ５１７を取り付けるような柱アセンブリを構成するようなガセットプレートアセンブリ５２１の変更を含む。
【００３８】
ガセットプレートアセンブリ５２１は、柱５１５に接続されており、柱から外側に横方向に延在する複数個のガセットプレート５２３を備える。ガセットプレート５２３は、柱５１５の長手方向軸と概して平行の平面内を延在する。間隔を介して平行の、垂直及び水平に延在するガセットプレート５２３ａの第一の組が、柱５１５及び同軸上を延在する梁５１９を挟む。ガセットプレートの第一の組５２３ａは、第一の軸に沿って互いに反対方向に柱５１５から外側に横方向に延在し、それぞれの梁アセンブリ５１７をガセットプレートアセンブリ５２１を通じて柱アセンブリ５１３に備え付けるための、梁５１９の端部を収容するための空間を柱の対向する側面に画定する。間隔を介して平行の、垂直及び水平に延在するガセットプレート５２３ｂの第二の組が、柱５１５及び同軸上を延在する梁と直交して延在する梁５１９を挟む。ガセットプレートの第二の組５２３ｂは、第一の軸と直交して延在する第二の軸に沿って互いに反対方向に柱５１５から外側に横方向に延在する。ガセットプレートの第二の組２３ｂは、梁アセンブリ５１７をガセットプレートアセンブリ５２１を通じて柱アセンブリ５１３に備え付けるための、梁５１９の端部を収容するための空間を画定する。
【００３９】
ガセットプレートの第一の組５２３ａは、その各々が、ガセットプレート５２３ａの縁からガセットプレートの内部に延在する一組の開放スロット５４３を含む（図３７及び図３８）。スロット５４３は、ガセットプレート５２３ａの垂直に延在する中心線を中心にして対称的に間隔をあける。ガセットプレートの第二の組５２３ｂは、その各々が、ガセットプレート５２３ｂの縁からガセットプレートの内部に延在する一組の開放スロット５４７を含む（図３９及び図４０）。スロット５４７は、ガセットプレート５２３ｂの垂直に延在する中心線を中心にして非対称的に間隔をあける。特に、各ガセットプレート５２３ｂにおいて、スロット５４７は、ガセットプレート５２３ｂの垂直に延在する中心線からガセットプレートの一つの側面の方に横方向に間隔をあける。それ故に、ガセットプレート５２３ｂは、スロット５４７の一つから、他のスロットから離れるほうに、他のスロットから延在するよりも大きな距離で反対方向に延在する。
【００４０】
ガセットプレートの第一の組５２３ａの開放スロット５４３は、ガセットプレートの第一の組５２３ａの一部分がガセットプレートの第二の組の開放スロットに収容され、かつガセットプレートの第二の組の一部分がガセットプレートの第一の組の開放スロットに収容されるように、ガセットプレートの第二の組５２３ｂの開放スロット５４７とつがうように構成される。接続されたガセットプレート５２３ａ、５２３ｂは、ガセットプレートアセンブリ５２１を形成する（図３６）。ガセットプレート５２３ａ、５２３ｂは、第一の実施形態に関して図１１に実質的に示したように、ガセットプレートの間の交点の角に沿って延在する垂直隅肉溶接部５２９ａに沿って共に溶接される。交差するガセットプレート５２３ａを越えるガセットプレート５２３ｂの短い延在部が、連結スロット５４３とつがい、その後（例えば、図１１に示す）四つの位置に溶接できる直交するガセットプレートの制御された剛体の交点を形成するスロット５４７を提供することに留意されたい。しかしながら、スロット付きの相互接続される接合部分がなくとも、ガセットプレート５２３ｂの自由垂直縁が、図３６の最も後方の直交するガセットプレート５２３ａの内部面と同じ平面上に最大達し、ガセットプレートの面に溶接できることが理解される。その場合には、図４０におけるガセットプレート５２３ｂの縁に最も近いスロット５４７を排除し、プレートの全長は、それに対応してより短くなる。ガセットプレート５２３ａ、５２３ｂの上部縁及び下部縁における水平隅肉溶接部５２９ｂが、ガセットプレートアセンブリ５２１を柱５１５に取り付ける。図示する実施形態では、ガセットプレートの第一の組５２３ａは、ガセットプレートの第一の組の上部縁及び下部縁がガセットプレートの第二の組５２３ｂのそれぞれの上部縁及び下部縁と概して同じ平面上に位置するように、ガセットプレートの第二の組５２３ｂに取り付けられる。ガセットプレートアセンブリ５２１が梁アセンブリの端部を収容するための空間を三つのみ形成することがわかる。
【００４１】
ガセットプレートアセンブリ５２１の組立方法は、第四の実施形態のガセットプレートアセンブリ３２１の組立方法と同一であり、柱アセンブリ５１３の建築方法は、第四の実施形態の柱アセンブリ３１３の建築方法とさもなければ同一である。さらに、柱アセンブリ５１３は、第四の実施形態の柱アセンブリ３１３と同じ様式において全長の梁アセンブリに取り付けることができる。
【００４２】
図４１〜図４４を参照すると、第七の実施形態の柱アセンブリ６１３を含む２軸柱梁モーメント抵抗接合接続構造が、概して６１１で指し示される。接合接続構造は、建物骨組の建築に使用することができる。図示する実施形態では、接合接続は、柱６１５を含む柱アセンブリ６１３を、全長の梁６１９を含む二つの全長の梁アセンブリ６１７に接合する。柱アセンブリ６１３は、第四の実施形態の柱アセンブリ３１３に類似するが、二つの直交する梁アセンブリ６１７を取り付けるような柱アセンブリを構成するようなガセットプレートアセンブリ６２１の変更を含む。
【００４３】
ガセットプレートの第一の組６２３ａの各々は、ガセットプレート６２３ａの縁からガセットプレートの内部に延在する二つの開放スロット６４３を含む（図４３）。スロット６４３は、ガセットプレート６２３ａの垂直に延在する中心線を中心にして非対称的に間隔をあける。特に、各ガセットプレート６２３ａにおいて、スロット６４３は、ガセットプレート６２３ａの垂直に延在する中心線からガセットプレートの一つの側面の方に横方向に間隔をあける。ガセットプレートの第二の組６２３ｂの各々は、ガセットプレート６２３ｂの縁からガセットプレートの内部に延在する二つの開放スロット６４７を含む（図４４）。スロット６４７も、ガセットプレートの第一の組６２３ａにおけるスロット６４３に類似する様式において、ガセットプレート６２３ｂの垂直に延在する中心線を中心にして非対称的に間隔をあける。
【００４４】
ガセットプレートの第一の組６２３ａの開放スロット６４３は、ガセットプレートの第一の組６２３ａの一部分がガセットプレートの第二の組の開放スロットに収容され、かつガセットプレートの第二の組の一部分がガセットプレートの第一の組の開放スロットに収容されるように、ガセットプレートの第二の組６２３ｂの開放スロット６４７とつがうように構成される。接続されたガセットプレート６２３ａ、６２３ｂは、ガセットプレートアセンブリ６２１を形成する。ガセットプレートアセンブリは、梁アセンブリ６１７の端部を収容するための空間を二つのみ提供する。ガセットプレート６２３ａ、６２３ｂは、ガセットプレートの間の交点の角に沿って延在する垂直隅肉溶接部６２９ａに沿って共に溶接される。交差するガセットプレート６２３ａを越えるガセットプレート６２３ｂの短い延在部が、連結スロット６４３とつがい、その後（例えば、図１１に示す）四つの位置に溶接できる直交するガセットプレートの制御された剛体の交点を形成するスロット６４７を提供することに留意されたい。しかしながら、スロット付きの相互接続される接合部分がなくとも、ガセットプレート６２３ｂの自由垂直縁が、図４２の最も後方の直交するガセットプレート６２３ａの内部面と同じ平面上に最大達し、ガセットプレートの面に溶接できることが理解される。その場合には、図４４におけるガセットプレート６２３ｂの縁に最も近いスロット６４７を排除し、プレートの全長は、それに対応してより短くなる。ガセットプレート６２３ａ、６２３ｂの上部縁及び下部縁における水平隅肉溶接部６２９ｂが、ガセットプレートアセンブリ６２１を柱６１５に取り付ける。図示する実施形態では、ガセットプレートの第一の組６２３ａは、ガセットプレートの第一の組の上部縁及び下部縁がガセットプレートの第二の組６２３ｂのそれぞれの上部縁及び下部縁と概して同じ平面上に位置するように、ガセットプレートの第二の組６２３ｂに取り付けられる。
【００４５】
ガセットプレートアセンブリ６２１の組立方法は、第四の実施形態のガセットプレートアセンブリ３２１の組立方法と同一であり、柱アセンブリ６１３の建築方法は、第四の実施形態の柱アセンブリ３１３の建築方法とさもなければ同一である。さらに、柱アセンブリ６１３は、第四の実施形態の柱アセンブリ３１３と同じ様式において全長の梁アセンブリに取り付けることができる。
【００４６】
図４５〜図５１を参照すると、第八の実施形態の柱アセンブリが、概して７１３で指し示される。第八の実施形態のガセットプレートアセンブリ７２１は、柱７１５に別々に溶接された複数個の（四つの）ガセットプレートサブアセンブリ７７１を備える。各サブアセンブリ７７１が、柱７１５の二つの隣接して直交する面７２０に沿って進むことによって柱の角を取り囲み、柱に溶接される。ガセットプレートサブアセンブリは、その各々が、第一のガセットプレート７２３ａ及び第二のガセットプレート７２３ｂを含む。隣接するガセットプレート７２３ａ、７２３ｂの面する表面が、梁アセンブリをガセットプレートアセンブリ７２１を通じて柱アセンブリ７１３に備え付けるための、梁の端部を収容するための空間を画定する。柱アセンブリ７１３は、第一の実施形態の柱アセンブリ１３と同じ様式において全長の梁アセンブリに取り付けることができる。
【００４７】
各サブアセンブリ７７１は、第一のガセットプレートの一つの側面により近く位置する開放スロット７４３を有する第一のガセットプレート７２３ａ（図４７）、及び第二のガセットプレートの一つの側面により近く位置する開放スロット７４７を有する第二のガセットプレート７２３ｂ（図４８）を備える。本明細書において前に説明したように、ガセットプレート７２３ａ、７２３ｂは、スロット７４３、７４７を互いにつがわせ、ガセットプレートの間の交点の角に沿って延在する垂直溶接部７２９ａにおいてガセットプレート７２３ａ、７２３ｂを共に溶接することによって取り付けられる。組み立てられたガセットプレートサブアセンブリ７７１は、非対称の交差した構成を有する（図４９及び図５１を参照）。より小さい断面を画定するガセットプレート７２３ａ、７２３ｂの一部分は、柱７１５の四つの角に溶接され、より大きな断面を画定するガセットプレートの一部分は、柱から外側に横方向に延在する。
【００４８】
サブアセンブリ７７１は、上部及び下部水平溶接部７２９ｂならびに垂直溶接部７２９ｃに沿って柱７１５の各面７２０に溶接される。柱７１５へのサブアセンブリ７７１の他の形態の接続を用いることができることが理解される。一実施例において、ガセットプレート７２３ａ、７２３ｂ及び柱７１５は、ボルト穴を有し、サブアセンブリを柱に備え付けるための開きボルトなどの適切な締め具を収容することができる。
【００４９】
ガセットプレートアセンブリ７２１は、有益にも、梁（図示せず）によって柱７１５に印加されるモーメントに対する抵抗を、柱のすべての四つの面７２０に分配し、これにより梁によって柱に印加される２軸負荷に抵抗するのに良く適する。これは、２軸の印加されたモーメントに抵抗するように、側壁に沿って進み、柱７１５のすべての四つの角を取り囲むように構成できる剛体ガセットプレートサブアセンブリ７７１を形成する、溶接され連結された直交するガセットプレート７２３ａ、７２３ｂの使用によって可能になる。四つの梁の任意の一つまたは任意の組み合わせによって印加されたモーメントが、ガセットプレートサブアセンブリ７７１の組によって柱７１５の周囲のすべての位置に伝達されることが理解される。サブアセンブリ７７１は、上部及び下部水平溶接部７２９ｂならびに垂直溶接部７２９ｃに沿って柱７１５の面７２０に溶接される。
【００５０】
サブアセンブリ７７１は、協同して、柱７１５の面７２０に負荷を分配する。例えば、ガセットプレート７２３ｂに接続された梁（図示せず）によってモーメントがサブアセンブリ７７１（図４９）の一つに印加されたときには、面内モーメントを梁の軸と平行な柱７１５の隣接面７２０に移すことができるチャネル形状の溶接部群構成を備えた上部及び下部水平溶接部７２９ｂならびに垂直溶接部７２９ｃによってそれに抵抗する。柱７１５の面７２０に移されたこの面内モーメントは、米国特許第６，１３８，４２７号、米国特許第７，１７８，２９６号、米国特許第８，１４６，３２２号、及び米国特許第９，０９１，０６５号に記載されている面内モーメント伝達に類似する。差異は、その特許における溶接部群（上部及び下部水平溶接部ならびに左及び右垂直溶接部）が、チャネル形状ではなく、矩形であることである。加えて、梁の長手方向軸を横断して延在し、近接する面７２０に接続されたガセットプレート７２３ａを有するサブアセンブリ７７１の上部及び下部溶接部７２９ｂならびに垂直溶接部７２９ｃも、モーメントに抵抗し、柱の面の面外にモーメントを移す張力／圧縮偶力を形成する。（チャネル形状の溶接部群構成を備えた）これらの溶接部７２９ｂ及び７２９ｃは、ガセットプレート７２３ａを柱７１５の近接する面７２０に接続し、柱の近接する面と垂直に作用する張力／圧縮偶力によって印加された面外モーメントに抵抗することができる。帰着したモーメントベクトルが、二つの直交する梁の間に位置し、ガセットプレートサブアセンブリ７７１を梁の長手方向軸の間の斜め方向に沿って柱７１５に傾ける傾向がある、２軸の印加されたモーメントの場合には、追加のモーメント抵抗能力が付与される。ガセットプレート７２３ｂ、７２３ａの垂直縁を柱７１５の隣接して直交する面７２０に接続する垂直溶接部７２９ｃが、垂直溶接部群として共に直交に作用して、印加された２軸モーメント抵抗偶力を付与する。サブアセンブリ７７１のすべてが、このようにして２軸の印加されたモーメントに抵抗するように作用でき、柱７１５のすべての四つもの角を取り囲み、前述のモーメント抵抗偶力と協調して作用して、柱アセンブリを使用して形成された柱アセンブリ７１３及び接合接続構造を顕著に堅固にすることが認識される。
【００５１】
図５２〜図５７を参照すると、第九の実施形態の柱アセンブリが、概して８１３で指し示される。第九の実施形態の柱アセンブリ８１３は、第八の実施形態の柱アセンブリ７１３に類似するが、三つの梁アセンブリを取り付けるような柱アセンブリ８１３を構成するようなガセットプレートアセンブリ８２１の変更を含む。第八の実施形態と同様に、各サブアセンブリ８７１は、柱８１５の二つの隣接して直交する面８２０に沿って進むことによって柱の角を取り囲み、柱に溶接される。二つの実施形態の間の主な差異は、第九の実施形態のガセットプレートアセンブリ８２１が異なる建築の二つのガセットプレートサブアセンブリ８７１ａ及び８７１ｂを備えることである。前述のとおり、すべてのガセットプレートサブアセンブリ８７１ａ、８７１ｂは、柱８１５に別々に溶接される。第一のサブアセンブリ８７１ａは、第八の実施形態におけるサブアセンブリ７７１と同一である。第二のサブアセンブリ８７１ｂは、第一のガセットプレートの一つの側面により近く位置する開放スロット８４３を有する第一のガセットプレート８２３ａ、及び第二のガセットプレートの一つの側面により近く位置する開放スロット８４７を有する第二のガセットプレート８２３ｂを備える。第二のサブアセンブリ８７１ｂの第二のガセットプレート８２３ｂは、第一のガセットプレート８２３ａよりも小さく、ボルトまたはねじ棒のための穴は有さない。先の実施形態に説明したように、ガセットプレート８２３ａ、８２３ｂは、スロット８４３、８４７を互いにつがわせ、ガセットプレートの間の交点の角に沿って延在する垂直溶接部８２９ａにおいてガセットプレート８２３ａ、８２３ｂを共に溶接することによって取り付けられる。組み立てられた第二のガセットプレートサブアセンブリ８７１ｂは、非対称の交差構成を有する。交差の上部断面を画定するガセットプレート８２３ａ、８２３ｂの一部分は、柱８１５の二つの隣接する角に溶接され、交差の下部断面を画定するガセットプレートの一部分は、柱から外側に横方向に延在する。隣接するガセットプレート８２３ａ、８２３ｂの面する表面が、梁アセンブリをガセットプレートアセンブリ８２１を通じて柱アセンブリ８１３に備え付けるための、梁の端部を収容するための空間を画定する。柱アセンブリ８１３は、第一の実施形態の柱アセンブリ１３と同じ様式において全長の梁アセンブリに取り付けることができる。
【００５２】
図５８〜図６０Ａを参照すると、第十の実施形態の柱アセンブリが、概して９１３で指し示される。第十の実施形態の柱アセンブリ９１３は、第八の実施形態の柱アセンブリ７１３に類似するが、三つの梁アセンブリを取り付けるような柱アセンブリを構成するようなガセットプレートアセンブリ９２１の変更を含む。二つの実施形態の間の主な差異は、第十の実施形態のガセットプレートアセンブリ９２１が、ガセットプレートサブアセンブリ９７１の組に加えて、（ガセットプレートアセンブリ９２１の一部も形成する）別のガセットプレートとつがわない別個のガセットプレート９２３ｃを含むことである。サブアセンブリ９７１は、第八の実施形態におけるサブアセンブリ７７１に類似する。第八の実施形態と同様に、各サブアセンブリ９７１は、柱９１５の二つの隣接して直交する面９２０に沿って進むことによって柱の角を取り囲み、柱に溶接される。しかしながら、各サブアセンブリ９７１において、柱９１５の面９２０の上にわたるガセットプレート９２３ａの一部分は、ガセットプレート９２３ｂの一部分よりも長い（図６０参照）。サブアセンブリ９７１は、柱９１５の隣接する角に溶接される。別個のガセットプレート９２３ｃは、上部及び下部水平溶接部９２９ｂ、垂直溶接部９２９ｃ、ならびに内在的な垂直角フレアベベル溶接部９２９ｈによって柱９１５の対向する面に溶接される（図６０Ａ参照）。サブアセンブリ９７１の隣接するガセットプレート９２３ａ、９２３ａの面する表面が、梁アセンブリをガセットプレートアセンブリ９２１を通じて柱アセンブリ９１３に備え付けるための、梁の端部を収容するための空間を画定する。さらに、ガセットプレート９２３ｂ及び９２３ｃの面する表面が、梁アセンブリを柱アセンブリ９１３に備え付けるための、梁の端部を収容するための空間を画定する。柱アセンブリ９１３は、第一の実施形態の柱アセンブリ１３と同じ様式において全長の梁アセンブリに取り付けることができる。
【００５３】
図６１〜図６３を参照すると、第十一の実施形態の柱アセンブリが、概して１０１３で指し示される。第十一の実施形態の柱アセンブリ１０１３は、第十の実施形態の柱アセンブリ９１３に類似するが、単一ガセットプレート９２３ｃの代わりに、柱アセンブリ１０１３は、二つの別個のガセットプレート１０２３ｄ及び１０２３ｅを含む。サブアセンブリ１０７１は、第十の実施形態におけるサブアセンブリ９７１と同一である。サブアセンブリ１０７１の各々は、柱１０１５の隣接する角に溶接され、柱の二つの隣接して直交する面１０２０に沿って進むことによって柱の角を取り囲む。別個のガセットプレート１０２３ｄ、１０２３ｅは、垂直溶接部１０２９ｃを使用して柱に溶接される。第十の実施形態に使用された角溶接部９２９ｅは、第十一の実施形態では使用しない。サブアセンブリ１０７１の隣接するガセットプレート１０２３ａ、１０２３ａの面する表面が、梁アセンブリをガセットプレートアセンブリ１０２１を通じて柱アセンブリ１０１３に備え付けるための、梁の端部を収容するための空間を画定する。さらに、ガセットプレート１０２３ｂ及び１０２３ｄの面する表面ならびに１０２３ｂ及び１０２３ｅの面する表面が、梁アセンブリを柱アセンブリ１０１３に備え付けるための、梁の端部を収容するための空間を画定する。柱アセンブリ１０１３は、第一の実施形態の柱アセンブリ１３と同じ様式において全長の梁アセンブリに取り付けることができる。
【００５４】
図６４〜図６６を参照すると、第十二の実施形態の柱アセンブリが、概して１１１３で指し示される。第十二の実施形態の柱アセンブリ１１１３は、第九の実施形態の柱アセンブリ８１３に類似するが、二つの梁アセンブリを取り付けるような柱アセンブリを構成するようなガセットプレートアセンブリ８２１の変更を含む。第一のサブアセンブリ１１７１ａは、第八の実施形態におけるサブアセンブリ７７１と同一である。第二のサブアセンブリ１１７１ｂは、第九の実施形態の第二のサブアセンブリ８７１ｂと同一である。隣接するガセットプレート１１２３ａ、１１２３ｂの面する表面及び隣接するガセットプレート１１２３ａ、１１２３ａの面する表面が、梁アセンブリをガセットプレートアセンブリ１１２１を通じて柱アセンブリ１１１３に備え付けるための、梁の端部を収容するための空間を画定する。柱アセンブリ１１１３は、第一の実施形態の柱アセンブリ１３と同じ様式において全長の梁アセンブリに取り付けることができる。
【００５５】
図６７〜図７０を参照すると、第十三の実施形態の柱アセンブリが、概して１２１３で指し示される。第十三の実施形態の柱アセンブリ１２１３は、第十二の実施形態の柱アセンブリ１１１３に類似するが、二つの第二のサブアセンブリ１１７１ｂを有する代わりに、柱アセンブリ１２１３は、二つの単一ガセットプレート１２２３ｄ及び１２２３ｅを含む。サブアセンブリ１２７１は、第八の実施形態におけるサブアセンブリ７７１に類似するが、ガセットプレート１２２３ａ、１２２３ｂの一部分が、面の幅の半分よりも長く延在して柱１２１５の面１２２０に隣接する。単一ガセットプレート１２２３ｄ、１２２３ｅは、垂直及び水平溶接部１２２９ｂ、１２２９ｃならびに角フレアベベル溶接部１２２９ｈを使用して、柱１２１５に取り付けられる。隣接するガセットプレート１２２３ａ及び１１２３ｄの面する表面ならびにガセットプレート１２２３ｂ及び１２２３ｅの面する表面が、梁アセンブリをガセットプレートアセンブリ１２２１を通じて柱アセンブリ１２１３に備え付けるための、梁の端部を収容するための空間を画定する。柱アセンブリ１２１３は、第一の実施形態の柱アセンブリ１３と同じ様式において全長の梁アセンブリに取り付けることができる。
【００５６】
本発明の他の陳述
Ａ．
建物の梁を柱に取り付けるための前記柱に接続するガセットプレートアセンブリであって、前記建物の前記梁の重量を前記柱に移すようなサイズに形成された少なくとも二つの金属ガセットプレートを備えており、前記ガセットプレートが互いに対して固定された構成において共に接続されており、各ガセットプレートが、別の前記ガセットプレートのスロットとつがうことによって前記ガセットプレートを相互接続して前記ガセットプレートアセンブリを形成する少なくとも一つのスロットを含む、前記ガセットプレートアセンブリ。
【００５７】
Ｂ．
各ガセットプレートが少なくとも二つのスロットを含み、各スロットが別のガセットプレートのスロットとつがうことによって前記ガセットプレートを相互接続して前記ガセットプレートアセンブリを形成する、請求項Ａに記載のガセットプレートアセンブリ。
【００５８】
Ｃ．
各スロットが閉鎖端部及び開放端部を含み、前記開放端部が、前記別のガセットプレートの一部分を収容して、前記ガセットプレートを相互接続して前記ガセットプレートアセンブリを形成する、請求項Ａに記載のガセットプレートアセンブリ。
【００５９】
Ｄ．
各ガセットプレートが複数個の穴を含む、請求項Ａに記載のガセットプレートアセンブリ。
【００６０】
Ｅ．
前記ガセットプレートを互いに接続する溶接部をさらに備えており、前記溶接部が前記ガセットプレートの前記スロットに沿って延在する、請求項Ａに記載のガセットプレートアセンブリ。
【００６１】
Ｆ．
前記ガセットプレートの少なくとも一つが、前記ガセットプレートを前記中空管状の柱に接続するための溶接部をその内部に収容するための伸長開口部を有する、請求項Ａに記載のガセットプレートアセンブリ。
【００６２】
Ｇ．
前記伸長開口部が、当該伸長開口部を取り囲む閉ループを画定する縁を有し、前記溶接部が、前記伸長開口部の前記縁の全体に沿って連続的に延在する、請求項Ｆに記載のガセットプレートアセンブリ。
【００６３】
ＢＡ．
中空管状の柱を提供することと、
ガセットプレートの少なくとも二つを共に取り付けることによる複数個の前記ガセットプレートを含むガセットプレートアセンブリを組み立てることと、及び
前記ガセットプレートアセンブリを前記中空管状の柱に固定して柱アセンブリを形成することと、を含み、前記ガセットプレートの第一の組が、前記柱から外側に横方向に第一の軸に沿って延在し、第一の梁を前記ガセットプレートの第一の組に備え付けるための、前記第一の梁の端部を収容するための空間を画定し、前記ガセットプレートの第二の組が、前記柱から外側に横方向に第二の軸に沿って延在し、第二の梁を前記ガセットプレートの第二の組に備え付けることによって２軸接合接続をもたらすための、前記第二の梁の端部を収容するための空間を画定する、予め製造される前記柱アセンブリの組立方法。
【００６４】
ＢＢ．
前記ガセットプレートアセンブリの組立が、各ガセットプレートを少なくとも別の前記ガセットプレートに取り付けることを含む、請求項ＢＡに記載の方法。
【００６５】
ＢＣ．
各ガセットプレートの取り付けが、それぞれのガセットプレートのスロットをつがわせて、前記ガセットプレートを共に溶接することを含む、請求項ＢＢに記載の方法。
【００６６】
ＢＤ．
前記ガセットプレートアセンブリを前記中空管状の柱に固定することが、前記ガセットプレートアセンブリを前記中空管状の柱に溶接することを含む、請求項ＢＡに記載の方法。
【００６７】
ＢＥ．
前記ガセットプレートアセンブリを前記中空管状の柱に固定することが、前記柱の長手方向軸を横断して延在する溶接部を形成することを含む、請求項ＢＤに記載の方法。
【００６８】
ＢＦ．
前記ガセットプレートアセンブリを前記中空管状の柱に溶接することが、前記柱の長手方向軸を横断して延在する溶接部、及び前記柱の長手方向軸に沿って延在する溶接部を形成することを含む、請求項ＢＥに記載の方法。
【００６９】
ＢＧ．
前記ガセットプレートアセンブリを前記中空管状の柱に固定することが、前記柱及び前記ガセットプレートを通って延在するねじ棒を使用して、前記ガセットプレートアセンブリを前記中空管状の柱に取り付けることを含む、請求項ＢＡに記載の方法。
【００７０】
ＢＨ．
コンクリートを前記中空管状の柱内に設置することをさらに含む、請求項ＢＡに記載の方法。
【００７１】
ＢＩ．
前記ガセットプレートアセンブリを前記中空管状の柱に固定して前記柱アセンブリを形成することが、前記ガセットプレートの取り囲まれた伸長開口部において前記ガセットプレートの少なくとも一つを前記柱に溶接することを含み、前記伸長開口部が前記柱の縦方向を延在する、請求項ＢＡに記載の方法。
【００７２】
実施形態の各々に記載した具体的な接続が置き替え可能であることが理解される。
【００７３】
本発明の要素または本発明の好ましい実施形態（複数可）を取り入れるときに、冠詞「ａ」、「ａｎ」、「ｔｈｅ」及び「ｓａｉｄ」は、その要素の一つ以上の存在を意味することが意図される。「ｃｏｍｐｒｉｓｉｎｇ（を備えている）」、「ｉｎｃｌｕｄｉｎｇ（を含んでいる）」及び「ｈａｖｉｎｇ（を有している）」という用語は、包含的であり、列挙された要素以外の追加の要素が存在し得ることを意味することが意図される。
【００７４】
前述を考慮して、本発明のいくつかの目的が達成され、他の有益な結果が実現することがわかる。
【００７５】
本発明の範囲から逸脱することなく、前述の建築物、製品及び方法にさまざまな変化を為すことができ、前の記載に含まれ、添付の図面に示されるすべての事項が、例示として解釈され、限定的な意味ではないことが意図される。
【００７６】
本発明の原理に従い建築された２軸のモーメント抵抗柱梁接合部接続構造及び柱アセンブリは、多数のユニークな特徴、利益及び利点を付与する。利点及び利益が適用される実施形態のいくつかを図示する図面が参照される。
【図１】
2017201126.tif 000003
【図１Ａ】
2017201126.tif 000004
【図２】
2017201126.tif 000005
【図３】
2017201126.tif 000006
【図４】
2017201126.tif 000007
【図５】
2017201126.tif 000008
【図６】
2017201126.tif 000009
【図７】
2017201126.tif 000010
【図８】
2017201126.tif 000011
【図９】
2017201126.tif 000012
【図１０】
2017201126.tif 000013
【図１１】
2017201126.tif 000014
【図１２】
2017201126.tif 000015
【図１３】
2017201126.tif 000016
【図１４】
2017201126.tif 000017
【図１５】
2017201126.tif 000018
【図１６】
2017201126.tif 000019
【図１７】
2017201126.tif 000020
【図１８】
2017201126.tif 000021
【図１９】
2017201126.tif 000022
【図２０】
2017201126.tif 000023
【図２１】
2017201126.tif 000024
【図２２】
2017201126.tif 000025
【図２３】
2017201126.tif 000026
【図２４】
2017201126.tif 000027
【図２５】
2017201126.tif 000028
【図２６】
2017201126.tif 000029
【図２７】
2017201126.tif 000030
【図２８】
2017201126.tif 000031
【図２９】
2017201126.tif 000032
【図３０】
2017201126.tif 000033
【図３１】
2017201126.tif 000034
【図３２】
2017201126.tif 000035
【図３３】
2017201126.tif 000036
【図３４】
2017201126.tif 000037
【図３５】
2017201126.tif 000038
【図３６】
2017201126.tif 000039
【図３７】
2017201126.tif 000040
【図３８】
2017201126.tif 000041
【図３９】
2017201126.tif 000042
【図４０】
2017201126.tif 000043
【図４１】
2017201126.tif 000044
【図４２】
2017201126.tif 000045
【図４３】
2017201126.tif 000046
【図４４】
2017201126.tif 000047
【図４５】
2017201126.tif 000048
【図４６】
2017201126.tif 000049
【図４７】
2017201126.tif 000050
【図４８】
2017201126.tif 000051
【図４９】
2017201126.tif 000052
【図５０】
2017201126.tif 000053
【図５１】
2017201126.tif 000054
【図５２】
2017201126.tif 000055
【図５３】
2017201126.tif 000056
【図５４】
2017201126.tif 000057
【図５５】
2017201126.tif 000058
【図５６】
2017201126.tif 000059
【図５７】
2017201126.tif 000060
【図５８】
2017201126.tif 000061
【図５９】
2017201126.tif 000062
【図６０】
2017201126.tif 000063
【図６０Ａ】
2017201126.tif 000064
【図６１】
2017201126.tif 000065
【図６２】
2017201126.tif 000066
【図６３】
2017201126.tif 000067
【図６４】
2017201126.tif 000068
【図６５】
2017201126.tif 000069
【図６６】
2017201126.tif 000070
【図６７】
2017201126.tif 000071
【図６８】
2017201126.tif 000072
【図６９】
2017201126.tif 000073
【図７０】
2017201126.tif 000074
【外国語明細書】
2017201126.tif 000075
2017201126.tif 000076
2017201126.tif 000077
2017201126.tif 000078
2017201126.tif 000079
2017201126.tif 000080
2017201126.tif 000081
2017201126.tif 000082
2017201126.tif 000083
2017201126.tif 000084
2017201126.tif 000085
2017201126.tif 000086
2017201126.tif 000087
2017201126.tif 000088
2017201126.tif 000089
2017201126.tif 000090
2017201126.tif 000091
2017201126.tif 000092
2017201126.tif 000093
2017201126.tif 000094
2017201126.tif 000095
2017201126.tif 000096
2017201126.tif 000097
2017201126.tif 000098
2017201126.tif 000099
2017201126.tif 000100
2017201126.tif 000101
2017201126.tif 000102
2017201126.tif 000103
2017201126.tif 000104
2017201126.tif 000105
2017201126.tif 000106
2017201126.tif 000107
2017201126.tif 000108
2017201126.tif 000109
2017201126.tif 000110
2017201126.tif 000111
2017201126.tif 000112
2017201126.tif 000113
2017201126.tif 000114
2017201126.tif 000115
2017201126.tif 000116
2017201126.tif 000117
2017201126.tif 000118
2017201126.tif 000119
2017201126.tif 000120
2017201126.tif 000121
2017201126.tif 000122
2017201126.tif 000123
2017201126.tif 000124
2017201126.tif 000125
2017201126.tif 000126
2017201126.tif 000127
2017201126.tif 000128
2017201126.tif 000129
2017201126.tif 000130
2017201126.tif 000131
2017201126.tif 000132
2017201126.tif 000133
2017201126.tif 000134
2017201126.tif 000135
2017201126.tif 000136
2017201126.tif 000137
2017201126.tif 000138
2017201126.tif 000139
2017201126.tif 000140
2017201126.tif 000141
2017201126.tif 000142
2017201126.tif 000143
2017201126.tif 000144
2017201126.tif 000145
2017201126.tif 000146
2017201126.tif 000147
2017201126.tif 000148
2017201126.tif 000149
2017201126.tif 000150
2017201126.tif 000151
2017201126.tif 000152
2017201126.tif 000153
2017201126.tif 000154
2017201126.tif 000155
2017201126.tif 000156
2017201126.tif 000157
2017201126.tif 000158
2017201126.tif 000159
2017201126.tif 000160
2017201126.tif 000161
2017201126.tif 000162
2017201126.tif 000163
2017201126.tif 000164
2017201126.tif 000165
2017201126.tif 000166
2017201126.tif 000167